(57)【特許請求の範囲】
【請求項１】
自端末から送信するメッセージを予め登録された暗号鍵で暗号化する暗号化手段と、
前記暗号化手段が用いる暗号鍵と、該暗号鍵により暗号化されたデータを解読する暗号鍵に対応する鍵コードの識別子を相手端末に登録させるために、前記暗号鍵と、該暗号鍵に対応する鍵コードの識別子を前記相手端末に対して送出する送出手段と、を備え、
前記暗号化手段は、前記自端末の発番号を前記暗号鍵で暗号化し、
前記送出手段は、当該暗号化した発番号を前記鍵コードの識別子とともに送出することを特徴とする携帯電話装置。
【発明の詳細な説明】
【０００１】
【発明の属する技術分野】
本発明は、発番号通知や文字情報表示が可能な機能を有し、着信時に発呼側端末の発番号を通知する携帯電話装置に関する。
【０００２】
【従来の技術】
従来における携帯電話装置の着信通知方式は、発呼側の携帯電話装置（以下、発呼側端末と称す）が通知する発番号を表示するか、着呼側の携帯電話装置（以下、着呼側端末と称す）の電話帳などのデータベースに登録されている情報を用いて発信者を通知していた。
また、発呼側端末がサブアドレス上に固有メッセージを入れ、送出することにより、発番号などが存在しない着呼でも着呼側端末が固有メッセージを表示することにより、発信者の特定が可能であった。
これらの情報通知は、携帯電話装置に予め発番号を通知するか否かのモード設定があったり、発信者がダイヤルする毎に発番号を通知するか否かの特番をダイヤルすることで発番号通知／非通知がなされていた。
【０００３】
【発明が解決しようとする課題】
しかしながら、上記のようなモード設定や特番の付加は、その操作の複雑さから敬遠されることが多く、多くのユーザは発番号通知を行うか否かの設定を常に固定にして使用している。
このように発番号通知の設定を固有にしておくと、間違えて電話をしてしまった相手に自分のアドレス（電話番号）が知られてしまうという欠点や、発番号通知が必要な相手に対して発番号が通知されないという欠点があった。また、発番号通知をＯＦＦし、固有メッセージを送出する場合にも、操作者がダイヤル先を誤り、間違い電話をかけた場合には、不特定の人に個人的なメッセージを見られてしまうという欠点があった。
したがって、本発明は上記従来技術の課題に鑑みて、操作誤りによって不特定の端末に発番号を知られることもなく、また、必要な人にのみ発番号通知を行うことが容易になる携帯電話装置を提供することを目的とする。
また、携帯電話装置の電話帳などに相手氏名や電話番号等さまざまな個人情報を入力しなくても、暗号鍵のみを登録することにより、着信時に発信者の特定ができる携帯電話装置を提供することを目的とする。
【０００４】
【課題を解決するための手段】
上記課題を解決するため、本願発明は、自端末から送信するメッセージを予め登録された暗号鍵で暗号化する暗号化手段と、暗号化手段が用いる暗号鍵と、該暗号鍵により暗号化されたデータを解読する暗号鍵に対応する鍵コードの識別子を相手端末に登録させるために、暗号鍵と、該暗号鍵に対応する鍵コードの識別子を前記相手端末に対して送出する送出手段と、を備え、暗号化手段は、自端末の発番号を暗号鍵で暗号化し、送出手段は、当該暗号化した発番号を鍵コードの識別子とともに送出することを特徴とする。
【０００７】
【発明の実施の形態】
以下、本発明の実施の形態を図１乃至図５を参照にして説明する。図１は本発明の実施の形態である携帯電話装置の機能ブロック、図２は本実施の形態における暗号化データのフォーマット図、図３は本実施の形態を説明する処理フローを表した図、図４は呼設定メッセージのフォーマット図、図５は暗号鍵情報を登録するためのデータベース構成図である。
【０００８】
図４は基地局から着呼側端末に送られる呼設定メッセージのフォーマット図である。同図に示すように呼設定メッセージは、同期ビット４０１、同期ワード４０３、制御信号又は情報データ４０５、誤り検査符号４０７で構成されている。制御信号又は情報データ４０５は、「プロトコル識別子」、「呼番号」、「メッセージ種別」、発信者ＩＤや電話番号などの「発番号」、発信者氏名や定型伝言番号などの「発サブアドレス（付加データ１）」、着信者ＩＤや電話番号などの「着番号」、自由分伝言や単文メッセージなどの「着サブアドレス（付加データ２）」で構成されている。着呼側端末はこの呼設定メッセージを受けることにより、着呼時に発呼者からの情報を取得することができる。
【０００９】
本実施の形態では、「発サブアドレス（付加データ１）」に該当する情報（発信者氏名、定型伝言番号等）と、「着サブアドレス（付加データ２）」に該当する情報（自由分伝言、単文メッセージ等）とを総称して「固有メッセージ」と記す。
本発明による携帯電話装置は、発信者情報の一部を暗号化して送信し、暗号化された発信者情報を解読して表示することが可能である。
【００１０】
次に、図１を参照しながら本発明の実施の形態である携帯電話装置（以下、端末と称す）の機能ブロック図を説明する。本発明の実施の形態である端末は「発信者情報」を暗号化する端末固有の暗号鍵を有している。この暗号鍵は、端末の電話番号、端末ＩＤ、ユーザー暗証コード等との組み合わせで作成され、端末への電話番号登録時に記憶部１０３に予め格納される。記憶部１０３に格納されている暗号鍵は、所定の操作を行ってから発呼することにより相手端末にも送ることができる。暗号鍵を受け取った相手端末は、電話帳登録時等にその暗号鍵を登録する。
【００１１】
操作部１００は、スイッチで構成されたキーやタッチパネルなどを含んだものである。ＲＯＭ１０２は、ＣＰＵ１０１のプログラムを格納すべきメモリであり、ＲＡＭやＦｌａｓｈメモリなどでプログラムメモリが構成される場合には、記憶部１０３と同一デバイス上に存在することも可能である。
音声入力手段１０６は、実際通話を行う際の音声の入力手段となる。マイクロフォンなどがこの類である。音声再生手段１１１は、実際の通話時には、受話スピーカーとしての機能や、着信時には呼び出し音（着信リンガーや音声メッセージ出力など）を送出する機能を有する。
【００１２】
まず最初に、発呼時の動作について説明する。ユーザは操作部１００により相手端末の電話番号入力操作から発呼操作までの動作を行う。ＣＰＵ１０１は記憶部１０３より自端末の暗号鍵を読み出し、暗号化手段１０４を用いて「発番号」を暗号化する。そして、暗号化された「発番号」が送出手段１０５及びＲＦ処理部１０７を介して網側に送出され、基地局から相手端末に送られる呼設定メッセージ（図４）には後述する暗号化データが載る。
同様にして、固有メッセージを送出する場合にも、ＣＰＵ１０１は記憶部１０３より自端末の暗号鍵を読み出し、暗号化手段１０４を用いて「固有メッセージ」を暗号化する。そして、暗号化された「固有メッセージ」が送出手段１０５及びＲＦ処理部１０７を介して網側に送出され、基地局から相手端末に送られる呼設定メッセージ（図４）には後述する暗号化データが載る。
【００１３】
本実施の形態では、暗号化手法として共有鍵暗号方式を用いる。共有鍵暗号方式には公知技術として、ＤＥＳ（Ｄａｔａ  Ｅｎｃｒｙｐｔｉｏｎ  Ｓｔａｎｄａｒｄ）やＲＣ２、ＲＣ４（Ｒｉｖｅｓｔ  Ｃｏｄｅ  ＃２と＃４）、ＩＤＥＡ（Ｉｎｔｅｒｎａｔｉｏｎａｌ  Ｄａｔａ  Ｅｎｃｒｙｐｔｉｏｎ  Ａｌｇｏｒｉｔｈｍ）などがあり、本実施の形態では、上記のいずれを用いて暗号化してもよいとする。但し、これらの手法では解読を行う際、携帯電話装置のＣＰＵ１０１や暗号解読手段１０９に処理機能の高いものを要求するケースもあるため、もっと簡易な暗号化手法を用いてもかまわない。
【００１４】
ユーザーが発信者情報を暗号化することを希望しない場合には、下記の方法で暗号化しないように設定することができる。
▲１▼操作メニューから暗号化のモード設定を呼出し、ＯＦＦモードにする。
▲２▼発呼時にダイヤルの先頭に特番を付加する操作を行う。
▲３▼発サブアドレス、着サブアドレス等に特番を付加する操作を行う。
上記▲１▼乃至▲３▼の操作が行われた場合には、暗号化を行うモードが解除され、ＣＰＵ１０１は暗号化手段１０４を介さずに発信者情報を送出手段１０５及びＲＦ処理部１０７を介して送出する。
【００１５】
次に、着呼時の動作について説明する。着信があったことをＲＦ部１０７及び受信手段１０８により検出したＣＰＵ１０１は、相手端末の発信者情報が暗号化されているか否かを検出する。
着呼側端末は呼設定メッセージに入れられた下記▲１▼〜▲２▼のいずれかの情報(図２の場合、２０１ｃまたは２０２ｃ）に基づいて、送られてきた発信者情報の一部が暗号化されているか否か判断する。
▲１▼発信者情報の先頭が規定では有り得ない「特殊コード」で構成されている。
▲２▼暗号化されたことを示す「フラグ」がたっている。
【００１６】
その結果、暗号化されていない場合には通常の動作となり、発信者情報が含まれる場合には、表示手段１１０により発信者情報を表示してユーザーへ着信を通知する。一方、暗号化されている場合には、ＣＰＵ１０１は記憶部１０３より発呼側端末固有の暗号鍵を検索し（このときＣＰＵ１０１は暗号鍵を選択する手段に該当する）、解読手段１０９へ暗号鍵を渡す。解読手段１０９はＣＰＵ部１０１が記憶部１０３より検索した暗号鍵を使用して、受信手段１０８より受信した「一部分を暗号化した発信者情報」を解読する。解読手段１０９により解読された発信者情報は、表示手段１１０により文字情報又は画像情報として表示される。そして、音声再生手段１１１により音声を再生、又は、呼び出し音を鳴動することにより、ユーザーへ着信の旨や発信者情報の通知を行う。
【００１７】
図２は暗号化データのフォーマットの一例を示した図である。暗号化データ（図２の２０１ｂ及び２０２ｂ）は呼設定メッセージ（図４）上の「発番号」「発サブアドレス」「着サブアドレス」に含まれる。そして、これらブロックには暗号化データと共に、当該暗号化データを解読する暗号鍵に対応する鍵コードのＩＤ（図２の２０１ａ及び２０２ａ）、さらに、データが暗号化してあることを示す特殊コード又はフラグ（図２の２０１ｃ及び２０２ｃ）も含まれる。鍵コードのＩＤは、端末ＩＤ（ＰＨＳ電話機ならばＰＳＩＤなどで構成してもよいし、製造者と端末の型番、製造番号などを組み合わせた端末固有のものであればよい）により構成されているため、運用されている各種電話機において携帯電話装置を特定できるものであればよい。着呼側端末は、鍵コードのＩＤをキーにして記憶部１０３のデータベース（ここでは、図５）に記憶されている暗号鍵を検索する。
【００１８】
図５に示すように、記憶部１０３には各端末の暗号鍵（同図、右側の列）と、鍵コードのＩＤ（同図、左側の列）とが対応付けされて登録・記憶されている。同図に示すようなデータベースに暗号鍵と鍵コードのＩＤとを登録するときの処理手順を図３を用いて説明する。
【００１９】
図３は、着呼側端末の電話帳メモリなどのデータベースに、発呼側端末の暗号鍵や鍵コードのＩＤを登録するときの処理手順を示す図である。
まず最初に、発呼者は暗号化データ送出のための操作である、暗号化データ送出用の特番（相手端末の電話番号の前に挿入される番号でも良いし、ＰＨＳなどで用いられるサブアドレスとしての入力等でもよい）を入力する（ステップ３０１）。ステップ３０１にて特番の入力が行われると、発呼側端末は特番が付加されていることを認識し、暗号化モードをＯＦＦに設定する（ステップ３０２）。その後、相手端末へ発信操作が行われると（ステップ３０３）、発信者情報に自端末の暗号鍵情報（暗号鍵と鍵コードのＩＤ）を挿入し、相手端末へ発呼動作を行う（ステップ３０５）。
【００２０】
ステップ３０７で着信した着信側端末は、発信者情報に暗号鍵情報があるかを否かを検出する（ステップ３０９）。その結果、暗号鍵情報が含まれていない場合には、通常の着信動作となる（ステップ３１７）。暗号鍵情報が含まれている場合には、ユーザーにデータベースへの登録を行うか否かを通知する（ステップ３１１）。ステップ３１１において、ユーザーが登録を選択しなかった場合には通常の着信動作となる（ステップ３１７）。ステップ３１３において、ユーザーがデータベースへの登録を選択した場合には、着呼側端末内のデータベースに暗号鍵情報が登録される（ステップ３１５）。
【００２１】
以上、本発明の実施の形態を説明したが、本発明は上記説明に限定されず、その範囲を逸脱しない限り、変更及び修正が可能であることは明らかである。
尚、本発明は一対一に対しては共有鍵方式を用いているが、実際には発呼者相手により暗号鍵が異なるため、共有鍵方式とは異なり複数の暗号鍵を持つことになる。
そのため、予め他の端末の暗号鍵を記憶する際には同時に送られてくる端末ＩＤなどと組み合わせて記憶させておくことにより、暗号化された情報が送られてきた時に暗号化されていない端末ＩＤなどから暗号鍵をすぐに検索することができるので、複数の暗号鍵を記憶しているものに対し処理時間の短縮等に有効である。また、共有鍵方式と比べ暗号鍵も同時に送信しないためセキュリティを確保することが出来る。
【００２２】
【発明の効果】
このように、本発明によれば、操作誤りによって不特定の端末に発番号を知られることもなく、また、必要な人にのみ発番号通知を行うことが容易になる携帯電話装置を提供することが可能である。
また、携帯電話装置の電話帳などに相手氏名や電話番号等さまざまな個人情報を入力しなくても、暗号鍵のみを登録することにより、着信時に発信者の特定ができる携帯電話装置を提供することが可能である。
【図面の簡単な説明】
【図１】本発明の実施の形態である携帯電話装置の機能ブロック図。
【図２】本発明の実施の形態である暗号化データのフォーマット図。
【図３】本発明の実施の形態を説明する処理フロー図。
【図４】携帯電話装置へ送信される呼設定メッセージのフォーマット図。
【図５】本発明の実施の形態を説明するデータベース構成図。
【符号の説明】
１００  操作部
１０１  ＣＰＵ
１０２  ＲＯＭ
１０３  記憶部
１０４  暗号化手段
１０５  送出手段
１０６  音声入力手段
１０７  ＲＦ処理部
１０８  受信手段
１０９  解読手段
１１０  表示手段
１１１  音声再生手段
【図１】
0005008233.tif 000002
【図２】
0005008233.tif 000003
【図３】
0005008233.tif 000004
【図４】
0005008233.tif 000005
【図５】
0005008233.tif 000006